(57)【要約】【課題】  マスター記録体に記録されていたデータを記録媒体にホログラムとして記録するホログラム記録装置およびホログラム記録方法において、小型の光源を使用でき、且つ消費電力を低減できるようにする。【解決手段】  マスター記録体１０と記録媒体２０を重ね、マスター記録体１０と記録媒体２０に、参照光３５を所定の入射角θ１で与える。マスター記録体１０のデータ記録部１１ａ，１１ｂ，・・回折した回折光３６と、参照光３５とが記録媒体２０内で干渉して、記録媒体２０内にデータが転写される。小さな光源を複数設け、それぞれの光源から参照光３５を与えることにより、記録装置を小型にでき、消費電力を低減できる。【選択図】図２
2008026637.tif 000002
【特許請求の範囲】
【請求項１】
内部に光の回折を生じさせるデータ記録部が設けられたマスター記録体に、感光材料を含む記録媒体を重ね、前記マスター記録体と前記記録媒体の双方に対し、参照光を所定の入射角で照射し、前記マスター記録体内の前記データ記録部で回折された回折光と、前記参照光とを、前記記録媒体内で干渉させて、前記記録媒体内にホログラムを記録する記録方法において、
前記参照光を発する光源を複数設け、それぞれの前記参照光を、前記マスター記録体に記録された複数のデータ記録部のうちの一部のデータ記録部に照射することを特徴とするホログラム記録方法。
【請求項２】
前記光源は、半導体レーザである請求項１記載のホログラム記録方法。
【請求項３】
それぞれの参照光が、前記マスター記録体および前記記録媒体に入射する入射角度を変えて、前記マスター記録体のデータ記録部に角度多重で記録されたそれぞれのデータページに対応するホログラムを、前記記録媒体に記録する請求項１または２記載のホログラム記録方法。
【請求項４】
前記光源と、前記マスター記録体および前記記録媒体との相対位置を変え、前記参照光の前記マスター記録体および前記記録媒体への照射位置を移動させていく請求項１ないし３のいずれかに記載のホログラム記録方法。
【請求項５】
内部に光の回折を生じさせるデータ記録部が設けられたマスター記録体と、感光材料を含む記録媒体とが、重ねられて設置される設置部と、
前記マスター記録体と前記記録媒体の双方に所定の入射角で入射する参照光を発する複数の光源とを有し、
それぞれの前記参照光が、前記マスター記録体に記録された複数のデータ記録部のうちの一部のデータ記録部に照射され、前記データ記録部で回折された回折光と、前記参照光とが前記記録媒体内で干渉して、前記記録媒体内にホログラムが記録されることを特徴とするホログラム記録装置。
【請求項６】
それぞれの光源から発せられた光を平行光束である参照光とする複数のコリメートレンズと、それぞれのコリメートレンズを通過した参照光の角度を変化させて、前記マスター記録体および前記記録媒体への前記参照光の入射角を変化させる光軸角度可変手段が設けられている請求項５記載のホログラム記録装置。
【請求項７】
それぞれの光源が半導体レーザである請求項５または６記載のホログラム記録装置。
【請求項８】
前記設置部に設置された前記マスター記録体および前記記録媒体と、それぞれの光源との対向位置を変化させて、前記マスター記録体および前記記録媒体に対する参照光の照射位置を移動させる相対移動手段が設けられている請求項５ないし７のいずれかに記載のホログラム記録装置。
【発明の詳細な説明】
【技術分野】
【０００１】
本発明は、マスター記録体のデータ記録部に記録されているデータに基づいて、感光材料を含む記録媒体に、ホログラムを記録するホログラム記録方法およびホログラム記録装置に関する。
【背景技術】
【０００２】
記録媒体にデータをホログラムで記録する方法として、以下の特許文献１などに記載のように、マスター記録体に記録されているデータを記録媒体に複写する手法が知られている。【０００３】
この手法は、これからホログラムを記録しようとする記録媒体を、マスター記録体に重ね、マスター記録体と記録媒体の双方に参照光を与える。参照光は、マスター記録体の内部のデータ記録部で回折され、その回折光が記録媒体に与えられる。記録媒体の内部で、前記回折光と前記参照光とが干渉し、その干渉縞がホログラムとして、前記記録媒体内に記録される。
【特許文献１】特開２００６−１８８６４号公報
【発明の開示】
【発明が解決しようとする課題】
【０００４】
しかし、特許文献１に記載のように、従来は、マスター記録体および記録媒体に対して、その面積のほぼ全域に単一の参照光を与えて、記録媒体内にホログラムを記録している。マスター記録体および記録媒体のほぼ全域に単一の参照光を与える構成であると、マスター記録体に記録された個々のデータ記録部に対して十分な光エネルギーを与えるために、前記参照光を発する光源として、ＡｒレーザやＹＡＧレーザなどの高出力の大型のレーザ発光器を使用することが必要である。【０００５】
そのため、ホログラム記録装置に必要とする消費電力が大きくなり、マスター記録体に記録されたデータを、記録媒体に容易に複写できる、簡易型の記録装置を安価に構成することが困難であった。【０００６】
本発明は、上記従来の課題を解決するものであり、低消費電力で、記録媒体にホログラムデータを記録することができるホログラム記録方法およびホログラム記録装置を提供することを目的としている。
【課題を解決するための手段】
【０００７】
本発明は、内部に光の回折を生じさせるデータ記録部が設けられたマスター記録体に、感光材料を含む記録媒体を重ね、前記マスター記録体と前記記録媒体の双方に対し、参照光を所定の入射角で照射し、前記マスター記録体内の前記データ記録部で回折された回折光と、前記参照光とを、前記記録媒体内で干渉させて、前記記録媒体内にホログラムを記録する記録方法において、
前記参照光を発する光源を複数設け、それぞれの前記参照光を、前記マスター記録体に記録された複数のデータ記録部のうちの一部のデータ記録部に照射することを特徴とするものである。【０００８】
本発明のホログラム記録方法では、複数の光源を設け、それぞれの光源から発せられる参照光を、マスター記録体の一部のデータ記録部に照射させている。このように複数の光源を設けることで、参照光のパワーを低下させることなく、参照光の発光部を簡易構造にでき、消費電力を低下させることができる。例えば、前記光源を、半導体レーザで構成することも可能である。【０００９】
また本発明では、それぞれの参照光が前記マスター記録体および前記記録媒体に入射する入射角度を変えて、前記マスター記録体のデータ記録部に角度多重で記録されたそれぞれのデータページに対応するホログラムを、前記記録媒体に記録することが可能である。【００１０】
さらに本発明は、前記光源と、前記マスター記録体および前記記録媒体との相対位置を変え、前記参照光の前記マスター記録体および前記記録媒体への照射位置を移動させていくことが好ましい。【００１１】
上記のように、個々の光源から発せられる参照光の照射箇所を移動していくことにより、マスター記録体の内部の広い範囲に記録されているデータに基づいて、記録媒体にホログラムを記録することが可能となる。また、少ない数の光源で広い範囲のデータの記録が可能であるため、記録装置を小型で安価に構成できる。【００１２】
本発明のホログラム記録装置は、内部に光の回折を生じさせるデータ記録部が設けられたマスター記録体と、感光材料を含む記録媒体とが、重ねられて設置される設置部と、
前記マスター記録体と前記記録媒体の双方に所定の入射角で入射する参照光を発する複数の光源とを有し、
それぞれの前記参照光が、前記マスター記録体に記録された複数のデータ記録部のうちの一部のデータ記録部に照射され、前記データ記録部で回折された回折光と、前記参照光とが前記記録媒体内で干渉して、前記記録媒体内にホログラムが記録されることを特徴とするものである。【００１３】
例えば、本発明のホログラム記録装置は、それぞれの光源から発せられた光を平行光束である参照光とする複数のコリメートレンズと、それぞれのコリメートレンズを通過した参照光の角度を変化させて、前記マスター記録体および前記記録媒体への前記参照光の入射角を変化させる光軸角度可変手段が設けられているものである。【００１４】
また、本発明のホログラム記録装置は、それぞれの光源を半導体レーザで構成することも可能である。【００１５】
さらに、前記設置部に設置された前記マスター記録体および前記記録媒体と、それぞれの光源との対向位置を変化させて、前記マスター記録体および前記記録媒体に対する参照光の照射位置を移動させる相対移動手段が設けられているものとして構成できる。
【発明の効果】
【００１６】
本発明のホログラム記録方法およびホログラム記録装置では、マスター記録体および記録媒体に与える参照光を、複数の小型の光源から与えることにより、装置全体の小型化と薄型化を実現でき、消費電力も提言できる。
【発明を実施するための最良の形態】
【００１７】
図１は本発明の実施の形態のホログラム記録装置とホログラム記録方法を説明する説明図である。図２と図３は、記録媒体へのホログラムの記録方法を示す拡大説明図である。【００１８】
図１に示すホログラム記録装置１は、設置部である設置テーブル２が設けられている。この設置テーブル２には、マスター記録体１０と記録媒体２０が重ねて設置される。マスター記録体１０は、設置テーブル２上に固定されて設けられてもよいし、あるいは交換可能であってもよい。記録媒体２０は、このホログラム記録装置１に装着され、マスター記録体１０に記録されているデータが記録媒体２０に複写（転写）される。すなわち、記録媒体２０は、何も記録されていない状態でホログラム記録装置１に装填され、マスター記録体１０に記録されているデータが全て記録媒体２０に記録された状態で、記録媒体２０がホログラム記録装置１から取り出され、これを繰り返し行うことが可能となっている。【００１９】
前記設置テーブル２には、ヘッド３０が対向している。ヘッド３０内には、複数の光源３１が設けられている。それぞれの光源３１には、単一のまたは複数の半導体レーザが搭載されている。この半導体レーザはＶＣＳＥＬ（面発光レーザ）である。それぞれの光源３１に複数のＶＣＳＥＬが搭載される場合、複数のＶＣＳＥＬの発光波長が相違しており、光源３１から一定の帯域内において異なる波長のレーザが発光できるようになっている。【００２０】
個々の光源３１にはコリメートレンズ３２が対向して設けられている。光源３１から発せられたレーザの拡散光は、それぞれコリメートレンズ３２を透過することで平行光束の参照光３５とされる。ヘッド３０には、前記参照光３５が記録媒体２０に入射する角度を可変するための光軸角度可変手段３３が設けられている。この光軸角度可変手段３３は、例えば回折格子の一種であるＨＰＤＬＣ（Holographic Polymer Dispersed Liquid Crystal）を複数組み合わせることにより構成される。この各ＨＰＤＬＣは、それぞれ異なる回折角度を有しており、各ＨＰＤＬＣを選択的に駆動することにより、記録媒体２０およびマスター記録体１０に対する参照光３５の光軸の入射角度θ１を変化させることができる。【００２１】
なお、前記光軸角度可変手段３３としては、個々の光源３１およびコリメートレンズ３２の配置角度を可変する駆動機構や、またはコリメートレンズ３２の配置角度だけを可変する駆動機構を組み込むことにより、参照光３５の光軸の入射角度θ１を変化させてもよい。【００２２】
図１に示すヘッド３０では、光軸角度可変手段３３を通過した複数の平行光束である参照光３５が記録媒体２０およびマスター記録体１０に与えられるが、前記複数の参照光３５が照射される範囲は、マスター記録体１０における記録面積内の一部である。そのため、図１に示すホログラム記録装置１では、ヘッド３０が、記録媒体２０の表面から一定の間隔を空けて、前記表面に沿ってＸ方向とＹ方向へ移動自在に案内されており、また、ヘッド３０をＸ方向とＹ方向とへステップ送りするステッピング機構が設けられている。【００２３】
図２は、図１に示すホログラム記録装置１を使用した第１の実施の形態のホログラム記録方法を説明する拡大説明図である。【００２４】
図２に示すように、マスター記録体１０の内部には、複数のデータ記録部１１ａ，１１ｂ，１１ｃ，１１ｄ，・・・が設けられている。このデータ記録部１１は、屈折率の相違する部分が干渉縞として厚み方向へ積層されているものであり、個々のデータ記録部１１ａ，１１ｂ，１１ｃ，１１ｄ，・・・には、複数のデータがページデータとして角度多重で重ね書きされている。マスター記録体１０のデータ記録部１１ａ，１１ｂ，１１ｃ，１１ｄ，・・・の記録は、感光材料を有するマスター記録体１０に対して一方の側から、所定の入射角度θで所定の波長λの記録用参照光を与え、マスター記録体１０に対して他方の側から、「１（明）」「０（暗）」のデータを有する物体光を与え、マスター記録体１０の内部で、記録用参照光と物体光とを干渉させて、屈折率が相違する部分を干渉縞状態に形成することで行われる。
【００２５】
図２に示すように、マスター記録体１０の上に、データが記録されていない未記録の記録媒体２０を設置し、前記コリメートレンズ３２で平行光束とされた参照光３５を、記録媒体２０およびマスター記録体１０に与える。前述のように、マスター記録体１０のそれぞれのデータ記録部１１ａ，１１ｂ，１１ｃ，１１ｄ，・・・の内部に、複数のページデータが角度多重で記録されている。前記参照光３５を角度θ１でマスター記録体１０に入射させると、この参照光３５がデータ記録部１１ａ，１１ｂ，１１ｃ，１１ｄ，・・・内のいずれかのページデータの干渉縞により回折されて、回折光３６が角度θ２で出射する。【００２６】
前記回折光３６は、データ記録部１１ａ，１１ｂ，１１ｃ，１１ｄ，・・・内のいずれかのページデータ内の「１」「０」のデータを反映したものである。回折光３６は、ブラッグ回折条件に基づくものであり、記録時の参照光と同じ波長の光を同じ入射角で入射させると、強い強度の回折光が得られる。ブラック回折条件では、参照光３５の入射角θ１と回折光３６の出射角θ２とが等しい。したがって、ヘッド３０においてそれぞれのコリメートレンズ３２を通過して平行光束とされた参照光３５の光軸を、光軸角度可変手段３３の干渉により曲げて、マスター記録体１０への入射角度θ１を可変させることにより、記録時に参照光の異なる入射角で記録された、すなわち角度多重で記録されたそれぞれのページデータからの回折光３６を得ることができる。【００２７】
所定の入射角θ１で参照光３５が与えられ、マスター記録体１０のそれぞれのデータ記録部１１ａ，１１ｂ，１１ｃ，１１ｄ，・・・から、いずれかのページデータが反映された回折光３６が得られると、この回折光３６と前記参照光３５とが、記録媒体２０内で干渉し、記録媒体２０のデータ記録部２１ａ，２１ｂ，２１ｃ，２１ｄ，・・・に、屈折率の相違する干渉縞が積層されたページデータが記録される。また、参照光３５の入射角度θ１を変えることにより、データ記録部２１ａ，２１ｂ，２１ｃ，２１ｄ，・・・に複数のページデータが角度多重で記録される。記録媒体２０のデータ記録部２１ａ，２１ｂ，２１ｃ，２１ｄ，・・・に記録された各ページデータは、マスター記録体１０のデータ記録部１１ａ，１１ｂ，１１ｃ，１１ｄ，・・・の各ページデータと同じ内容を転写されたホログラムである。【００２８】
このように、ホログラム記録装置１に、未記録の記録媒体２０を装着し、ヘッド３０に設けられた各光源３１を点灯させ、光軸角度可変手段３３によって、参照光３５の入射角θ１を変えることにより、マスター記録体１０の各データ記録部１１ａ，１１ｂ，１１ｃ，１１ｄ，・・・のデータを、記録媒体２０に転写することができる。【００２９】
図１に示すホログラム記録装置１では、ヘッド３０から複数の参照光３５が照射される範囲が、マスター記録体１０にデータ記録部が設けられている範囲の一部の面積に限られている。したがって、ヘッド３０で前記記録動作を行った後に、ヘッドをＸ−Ｙ方向へ移動させて同様の記録動作を行うことにより、マスター記録体１０の全てのデータ記録部に記録されているデータを記録媒体２０に転写することができる。なお、前記光源３１とコリメートレンズ３２を、マスター記録体１０のデータ記録部が形成されている範囲の全面積に対向させることができるように多数設けてもよい。【００３０】
データが転写された記録媒体２０は、ホログラム記録装置１から取り出され、新たな未記録の記録媒体２０が装着されて、記録動作が行われる。【００３１】
図２に示すように、マスター記録体１０のデータ記録部１１ａ，１１ｂ，１１ｃ，１１ｄ，・・・に角度多重で記録された各ページデータを、記録媒体２０に転写するためには、参照光３５の入射角θ１と同じ出射角θ２で出力される回折光３６と、前記参照光３５とが、記録媒体２０の内部で交叉し、記録媒体２０の内部で、回折光３６と参照光３５とが干渉することが必要である。【００３２】
この実施の形態のホログラム記録装置１では、ヘッド３０内に、複数の光源３１が設けられ、それぞれの光源３１から発せられた光が複数の光束の参照光３５となって照射される。そのため、図２に示すように、隣り合う参照光３５の間に影３７が形成され、この影３７の部分では、記録媒体２０内で干渉縞を形成することができない。したがって、図２において符号１１Ａで示す部分に設けられたデータ記録部は、記録媒体２０に転写できない。よって、マスター記録体１０の内部では、前記符号１１Ａで示す部分には、データ記録部を設けないことが好ましい。【００３３】
次に図３は、第２の実施の形態のホログラム記録装置１０１と、このホログラム記録装置１０１を使用したホログラム記録方法を示す説明図である。【００３４】
図３に示すホログラム記録装置１０１では、マスター記録体１０の内部に、複数のデータ記録部１１ｅ，１１ｆ，１１ｇ，１１ｈ，１１ｉ，１１ｊ，１１ｋ，１１ｍ，１１ｎ，・・・が一定のピッチで間欠部を有することなく設けられている。【００３５】
また、光源３１から発せられてコリメートレンズ３２で平行光束とされた参照光３５は、その光束の直径と同じ間隔３８を空けて配置されている。したがって、光源３１が点灯して参照光３５が照射されたときに、隣り合う参照光３５と参照光３５との間の領域３８は影であり、この部分にデータ記録部１１ｇ，１１ｎのデータを記録媒体２０に転写することができない。そこで、図３に示すように参照光３５，３５を照射し、しかも参照光３５の入射角θ１を変化させ、データ記録部１１ｅ，１１ｆ，１１ｋ，１１ｍに角度多重で記録されているページデータを記録媒体２０に転写した後に、ヘッド３０をΔＬだけ移動させ、参照光３５，３５が照射される箇所をΔＬだけ移動させる。この距離ΔＬは、データ記録部１１ｅ，１１ｆ，・・・の配置ピッチと一致している。【００３６】
ヘッド３０をΔＬだけ移動させた状態で、参照光３５，３５の入射角θ１を変化させて、データ記録部１１ｆ，１１ｇ，１１ｍ，１１ｎに角度多重で記録されているデータを記録媒体２０に転写する。前記ΔＬの移動を３回繰り返すことにより、マスター記録体１０の全てのデータ記録部１１ｅ，１１ｆ，１１ｇ，１１ｈ，１１ｉ，１１ｊ，１１ｋ，１１ｍ，１１ｎ，・・・に記録されているデータを、記録媒体２０に転写できる。【００３７】
上記の記録方法であると、例えば、データ記録部１１ｆなどに記録されているデータが、記録媒体２０のデータ記録部２１ｆに複数回書き込まれることになる。したがって、記録媒体２０に含まれる感光材料は、繰り返して上書きできるものを使用することが好ましい。なお、前記ヘッドを２×ΔＬの距離だけ移動させて、記録動作を行ってもよい。【００３８】
前記各実施の形態のホログラム記録装置およびホログラム記録方法では、１つの光源３１が、マスター記録体１０の全てのデータ記録部に同時に参照光を与えるものではなく、多数のデータ記録部のうちのいずれかの少なくとも１箇所に参照光３５を与える小型のものを使用している。したがって、光源３１として半導体レーザを使用することも可能であり、ヘッド３０を小型に構成でき、また消費電力も低減できる。
【図面の簡単な説明】
【００３９】
【図１】本発明の実施の形態のホログラム記録装置の説明図、
【図２】第１の実施の形態のホログラム記録方法を説明する説明図、
【図３】第２の実施の形態のホログラム記録方法を説明する説明図、
【符号の説明】
【００４０】
１，１０１  ホログラム記録装置
２  設置部
１０  マスター記録体
１１  データ記録部
２０  記録媒体
２１  データ記録部
３０  ヘッド
３１  光源
３２  コリメートレンズ
３３  光軸角度可変手段
３５  参照光
【図１】
2008026637.tif 000003
【図２】
2008026637.tif 000004
【図３】
2008026637.tif 000005
【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
内部に光の回折を生じさせるデータ記録部が設けられたマスター記録体に、感光材料を含む記録媒体を重ね、前記マスター記録体と前記記録媒体の双方に対し、参照光を所定の入射角で照射し、前記マスター記録体内の前記データ記録部で回折された回折光と、前記参照光とを、前記記録媒体内で干渉させて、前記記録媒体内にホログラムを記録する記録方法において、
前記参照光を発する光源を間隔を空けて複数並べて設け、それぞれの前記参照光を、前記マスター記録体に記録された複数のデータ記録部のうちの一部のデータ記録部に照射し、その照射位置を、前記光源の並び方向に向けて、前記データ記録部の配置ピッチ分だけずらしながら移動させることを特徴とするホログラム記録方法。
【請求項２】
前記光源の間隔を、前記参照光の直径と同じ寸法とする請求項１記載のホログラム記録方法。
【請求項３】
前記光源は、半導体レーザである請求項１または２記載のホログラム記録方法。
【請求項４】
それぞれの参照光が、前記マスター記録体および前記記録媒体に入射する入射角度を変えて、前記マスター記録体のデータ記録部に角度多重で記録されたそれぞれのデータページに対応するホログラムを、前記記録媒体に記録する請求項１ないし３のいずれかに記載のホログラム記録方法。
【請求項５】
内部に光の回折を生じさせるデータ記録部が設けられたマスター記録体と、感光材料を含む記録媒体とが、重ねられて設置される設置部と、
前記マスター記録体と前記記録媒体の双方に所定の入射角で入射する参照光を発する光源とを有し、
前記光源は間隔を空けて複数設けられて、それぞれの前記参照光が、前記マスター記録体に記録された複数のデータ記録部のうちの一部のデータ記録部に照射されて、前記データ記録部で回折された回折光と、前記参照光とが前記記録媒体内で干渉して、前記記録媒体内にホログラムが記録され、
前記マスター記録体および前記記録媒体に対する参照光の照射位置を移動させる相対移動手段が設けられて、前記照射位置が、前記光源の並び方向に向けて、前記データ記録部の配置ピッチ分だけずらしながら移動させられることを特徴とするホログラム記録装置。
【請求項６】
前記光源の間隔が、前記参照光の直径と同じ寸法だけ空けられている請求項５記載のホログラム記録方法。
【請求項７】
それぞれの光源から発せられた光を平行光束である参照光とする複数のコリメートレンズと、それぞれのコリメートレンズを通過した参照光の角度を変化させて、前記マスター記録体および前記記録媒体への前記参照光の入射角を変化させる光軸角度可変手段が設けられている請求項５または６記載のホログラム記録装置。
【請求項８】
それぞれの光源が半導体レーザである請求項５ないし７のいずれかに記載のホログラム記録装置。
【手続補正２】
【補正対象書類名】明細書
【補正対象項目名】０００７
【補正方法】変更
【補正の内容】
【０００７】
本発明は、内部に光の回折を生じさせるデータ記録部が設けられたマスター記録体に、感光材料を含む記録媒体を重ね、前記マスター記録体と前記記録媒体の双方に対し、参照光を所定の入射角で照射し、前記マスター記録体内の前記データ記録部で回折された回折光と、前記参照光とを、前記記録媒体内で干渉させて、前記記録媒体内にホログラムを記録する記録方法において、
前記参照光を発する光源を間隔を空けて複数並べて設け、それぞれの前記参照光を、前記マスター記録体に記録された複数のデータ記録部のうちの一部のデータ記録部に照射し、その照射位置を、前記光源の並び方向に向けて、前記データ記録部の配置ピッチ分だけずらしながら移動させることを特徴とするものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明は、個々の光源から発せられる参照光の照射箇所を移動させているため、マスター記録体に記録されているデータを、欠損させることなく記録媒体にホログラムとして記録することが可能となる。また、少ない数の光源で広い範囲のデータの記録が可能であるため、記録装置を小型で安価に構成できる。
【手続補正５】
【補正対象書類名】明細書
【補正対象項目名】００１２
【補正方法】変更
【補正の内容】
【００１２】
本発明のホログラム記録装置は、内部に光の回折を生じさせるデータ記録部が設けられたマスター記録体と、感光材料を含む記録媒体とが、重ねられて設置される設置部と、
前記マスター記録体と前記記録媒体の双方に所定の入射角で入射する参照光を発する光源とを有し、
前記光源は間隔を空けて複数設けられて、それぞれの前記参照光が、前記マスター記録体に記録された複数のデータ記録部のうちの一部のデータ記録部に照射されて、前記データ記録部で回折された回折光と、前記参照光とが前記記録媒体内で干渉して、前記記録媒体内にホログラムが記録され、
前記マスター記録体および前記記録媒体に対する参照光の照射位置を移動させる相対移動手段が設けられて、前記照射位置が、前記光源の並び方向に向けて、前記データ記録部の配置ピッチ分だけずらしながら移動させられることを特徴とするものである。
【手続補正６】
【補正対象書類名】明細書
【補正対象項目名】００１５
【補正方法】削除
【補正の内容】
【手続補正７】
【補正対象書類名】明細書
【補正対象項目名】００１７
【補正方法】変更
【補正の内容】
【００１７】
図１は本発明の前提となるホログラム記録装置とホログラム記録方法の参考例を説明する説明図である。図２と図３は、記録媒体へのホログラムの記録方法を示す拡大説明図である。
【手続補正８】
【補正対象書類名】明細書
【補正対象項目名】００２３
【補正方法】変更
【補正の内容】
【００２３】
図２は、図１に示すホログラム記録装置１を使用したホログラム記録方法を説明する拡大説明図である。
【手続補正９】
【補正対象書類名】明細書
【補正対象項目名】００３２
【補正方法】変更
【補正の内容】
【００３２】
上記のホログラム記録装置１では、ヘッド３０内に、複数の光源３１が設けられ、それぞれの光源３１から発せられた光が複数の光束の参照光３５となって照射される。そのため、図２に示すように、隣り合う参照光３５の間に影３７が形成され、この影３７の部分では、記録媒体２０内で干渉縞を形成することができない。したがって、図２において符号１１Ａで示す部分に設けられたデータ記録部は、記録媒体２０に転写できない。よって、マスター記録体１０の内部では、前記符号１１Ａで示す部分には、データ記録部を設けないことが好ましい。
【手続補正１０】
【補正対象書類名】明細書
【補正対象項目名】００３３
【補正方法】変更
【補正の内容】
【００３３】
図３は、本発明の実施の形態のホログラム記録装置１０１と、このホログラム記録装置１０１を使用したホログラム記録方法を示す説明図である。
【手続補正１１】
【補正対象書類名】明細書
【補正対象項目名】００３５
【補正方法】変更
【補正の内容】
【００３５】
また、光源３１から発せられてコリメートレンズ３２で平行光束とされた参照光３５は、その光束の直径と同じ間隔３８を空けて配置されている。したがって、光源３１が点灯して参照光３５が照射されたときに、隣り合う参照光３５と参照光３５との間の領域は影であり、この部分にデータ記録部１１ｇ，１１ｎのデータを記録媒体２０に転写することができない。そこで、図３に示すように参照光３５，３５を照射し、しかも参照光３５の入射角θ１を変化させ、データ記録部１１ｅ，１１ｆ，１１ｋ，１１ｍに角度多重で記録されているページデータを記録媒体２０に転写した後に、ヘッド３０をΔＬだけ移動させ、参照光３５，３５が照射される箇所をΔＬだけ移動させる。この距離ΔＬは、データ記録部１１ｅ，１１ｆ，・・・の配置ピッチと一致している。
【手続補正１２】
【補正対象書類名】明細書
【補正対象項目名】００３６
【補正方法】変更
【補正の内容】
【００３６】
ヘッド３０をΔＬだけ移動させた状態で、参照光３５ａ，３５ａの入射角θ１を変化させて、データ記録部１１ｆ，１１ｇ，１１ｍ，１１ｎに角度多重で記録されているデータを記録媒体２０に転写する。前記ΔＬの移動を３回繰り返すことにより、マスター記録体１０の全てのデータ記録部１１ｅ，１１ｆ，１１ｇ，１１ｈ，１１ｉ，１１ｊ，１１ｋ，１１ｍ，１１ｎ，・・・に記録されているデータを、記録媒体２０に転写できる。
【手続補正１３】
【補正対象書類名】明細書
【補正対象項目名】００３８
【補正方法】変更
【補正の内容】
【００３８】
前記実施の形態のホログラム記録装置およびホログラム記録方法では、１つの光源３１が、マスター記録体１０の全てのデータ記録部に同時に参照光を与えるものではなく、多数のデータ記録部のうちのいずれかの少なくとも１箇所に参照光３５を与える小型のものを使用している。したがって、光源３１として半導体レーザを使用することも可能であり、ヘッド３０を小型に構成でき、また守秘電力も低減できる。
【手続補正１４】
【補正対象書類名】明細書
【補正対象項目名】００３９
【補正方法】変更
【補正の内容】
【００３９】
【図１】本発明の前提となるホログラム記録装置の説明図、
【図２】ホログラム記録方法を説明する説明図、
【図３】本発明の実施の形態のホログラム記録方法を説明する説明図、
【国際調査報告】
2008026637.tif 000006
2008026637.tif 000007